【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
テレビ会議を可能とするためのソフトウェアがインストールされ、該ソフトウェアによってテレビ会議システムのサーバとネットワークを介した通信を行う端末であって、
前記サーバとネットワークを介した通信を行う他の端末との間でテレビ会議を可能とする通信制御部と、
前記テレビ会議を行う対象の選択を受付可能な第１の画面および前記サーバと通信を行うことができない状態であることを通知するための第１の画面とは異なる第２の画面の少くなくともいずれかを表示部に表示させる表示制御部と、
を備え、
前記表示制御部は、
前記ソフトウェアが前記テレビ会議システムへのログインを完了し、前記第１の画面を表示させているが前記他の端末とのテレビ会議を行っていない第１の動作状態において、前記ネットワークが切断された場合には、前記第２の画面を前記表示部に表示せず、
前記ソフトウェアが前記第１の画面において選択された前記対象にテレビ会議の参加要求を送信することを決定した第２の動作状態において、前記ネットワークが切断され、前記サーバと通信を行うことができない場合には、前記第１の画面に前記第２の画面を重ねて前記表示部に表示させる、
ことを特徴とする端末。
【請求項２】
前記表示制御部は、前記第２の動作状態において前記ネットワークが切断された場合、前記第２の画面に対するユーザ操作を受け付けた後に前記第１の画面を前記表示部に表示させる、
請求項１に記載の端末。
【請求項３】
前記表示制御部は、表示させている前記第１の画面において前記テレビ会議を行う対象の選択を受け付け、さらにテレビ会議に参加するためのユーザ操作を受け付けることで前記第２の動作状態へ遷移した場合、前記第２の画面を表示させる、
請求項１又は２に記載の端末。
【請求項４】
前記ネットワークはインターネットである、
請求項１乃至３のいずれか一項に記載の端末。
【請求項５】
前記ソフトウェアは前記通信制御部として機能するアプリケーションである、
請求項１乃至４のいずれか一項に記載の端末。
【請求項６】
前記表示制御部は、前記第１の画面において、前記テレビ会議を行う対象が当該テレビ会議に参加していること又は当該テレビ会議に参加していないことを前記表示部に表示させる、
請求項１乃至５のいずれか一項に記載の端末。
【請求項７】
請求項１乃至６のいずれか一項に記載の端末とサーバとによって構成されるテレビ会議システム。
【請求項８】
テレビ会議を可能とするためのソフトウェアがインストールされ、該ソフトウェアによってテレビ会議システムのサーバとネットワークを介した通信を行う端末の制御方法であって、
前記サーバとネットワークを介した通信を行う他の端末との間でテレビ会議を可能とし、
前記テレビ会議を行う対象の選択を受付可能な第１の画面および前記サーバと通信を行うことができない状態であることを通知するための第１の画面とは異なる第２の画面の少くなくともいずれかを表示部に表示させるとき、
前記ソフトウェアが前記テレビ会議システムへのログインを完了し、
その後、前記第１の画面を表示させているが前記他の端末とのテレビ会議を行っていない第１の動作状態において前記ネットワークが切断された場合には、前記第２の画面を前記表示部に表示させず、
前記ソフトウェアが前記第１の画面において選択された前記対象にテレビ会議の参加要求を送信することを決定した第２の動作状態において前記ネットワークが切断されて前記サーバと通信を行うことができない場合には、前記第１の画面に前記第２の画面を重ねて前記表示部に表示させる、
ことを特徴とする端末の制御方法。
【請求項９】
前記ネットワークはインターネットである、
請求項８に記載の端末の制御方法。
【請求項１０】
前記第１の画面において、前記テレビ会議を行う対象が当該テレビ会議に参加していること又は当該テレビ会議に参加していないことを前記表示部に表示させる、
請求項８又は９に記載の端末の制御方法。
【請求項１１】
テレビ会議を可能とするためのソフトウェアがインストールされ、該ソフトウェアによってテレビ会議システムのサーバとネットワークを介した通信を行う端末において実行可能な制御プログラムであって、
前記サーバとネットワークを介した通信を行う他の端末との間でテレビ会議を可能とする通信制御ステップと、
前記テレビ会議を行う対象の選択を受付可能な第１の画面および前記サーバと通信を行うことができない状態であることを通知するための第１の画面とは異なる第２の画面の少くなくともいずれかを表示部に表示させ、
前記ソフトウェアが前記テレビ会議システムへのログインを完了した後に、前記第１の画面を表示させているが前記他の端末とのテレビ会議を行っていない第１の動作状態のときは、前記ネットワークが切断された場合には、前記第２の画面を前記表示部に表示せず、
前記ソフトウェアが前記第１の画面において選択された前記対象にテレビ会議の参加要求を送信することを決定した第２の動作状態であって前記ネットワークが切断されて前記サーバと通信を行うことができないときは、前記第１の画面に前記第２の画面を重ねて前記表示部に表示させる表示制御ステップと、
を前記端末に実行させる制御プログラム。
【請求項１２】
前記ネットワークはインターネットである、
請求項１１に記載の制御プログラム。
【請求項１３】
前記表示制御ステップにおいて、前記第１の画面を表示している際に、前記テレビ会議を行う対象が当該テレビ会議に参加していること又は当該テレビ会議に参加していないことを前記表示部に表示させる、
請求項１１又は１２に記載の制御プログラム。
【手続補正２】
【補正対象書類名】明細書
【補正対象項目名】発明の名称
【補正方法】変更
【補正の内容】
【発明の名称】端末、テレビ会議システム、端末の制御方法及び制御プログラム
【手続補正３】
【補正対象書類名】明細書
【補正対象項目名】０００１
【補正方法】変更
【補正の内容】
【０００１】
本発明は、端末、テレビ会議システム、端末の制御方法及び制御プログラムに関する。
【手続補正４】
【補正対象書類名】明細書
【補正対象項目名】０００８
【補正方法】変更
【補正の内容】
【０００８】
上記課題を解決するために、テレビ会議を可能とするためのソフトウェアがインストールされ、該ソフトウェアによってテレビ会議システムのサーバとネットワークを介した通信を行う端末であって、前記サーバとネットワークを介した通信を行う他の端末との間でテレビ会議を可能とする通信制御部と、前記テレビ会議を行う対象の選択を受付可能な第１の画面および前記サーバと通信を行うことができない状態であることを通知するための第１の画面とは異なる第２の画面の少くなくともいずれかを表示部に表示させる表示制御部と、を備え、前記表示制御部は、前記ソフトウェアが前記テレビ会議システムへのログインを完了し、前記第１の画面を表示させているが前記他の端末とのテレビ会議を行っていない第１の動作状態において、前記ネットワークが切断された場合には、前記第２の画面を前記表示部に表示せず、前記ソフトウェアが前記第１の画面において選択された前記対象にテレビ会議の参加要求を送信することを決定した第２の動作状態において、前記ネットワークが切断され、前記サーバと通信を行うことができない場合には、前記第１の画面に前記第２の画面を重ねて前記表示部に表示させる、ことを特徴とする。
【手続補正５】
【補正対象書類名】明細書
【補正対象項目名】０００９
【補正方法】変更
【補正の内容】
【０００９】
また、本発明の他の態様は、テレビ会議を可能とするためのソフトウェアがインストールされ、該ソフトウェアによってテレビ会議システムのサーバとネットワークを介した通信を行う端末の制御方法であって、前記サーバとネットワークを介した通信を行う他の端末との間でテレビ会議を可能とし、前記テレビ会議を行う対象の選択を受付可能な第１の画面および前記サーバと通信を行うことができない状態であることを通知するための第１の画面とは異なる第２の画面の少くなくともいずれかを表示部に表示させるとき、前記ソフトウェアが前記テレビ会議システムへのログインを完了し、その後、前記第１の画面を表示させているが前記他の端末とのテレビ会議を行っていない第１の動作状態において前記ネットワークが切断された場合には、前記第２の画面を前記表示部に表示させず、前記ソフトウェアが前記第１の画面において選択された前記対象にテレビ会議の参加要求を送信することを決定した第２の動作状態において前記ネットワークが切断されて前記サーバと通信を行うことができない場合には、前記第１の画面に前記第２の画面を重ねて前記表示部に表示させる、ことを特徴とする。また、本発明の他の態様は、テレビ会議を可能とするためのソフトウェアがインストールされ、該ソフトウェアによってテレビ会議システムのサーバとネットワークを介した通信を行う端末の制御プログラムであって、前記サーバとネットワークを介した通信を行う他の端末との間でテレビ会議を可能とする通信制御ステップと、前記テレビ会議を行う対象の選択を受付可能な第１の画面および前記サーバと通信を行うことができない状態であることを通知するための第１の画面とは異なる第２の画面の少くなくともいずれかを表示部に表示させ、前記表示制御ステップにおいて、前記ソフトウェアが前記テレビ会議システムへのログインを完了した後に、前記第１の画面を表示させているが前記他の端末とのテレビ会議を行っていない第１の動作状態のときは、前記ネットワークが切断された場合には、前記第２の画面を前記表示部に表示せず、前記ソフトウェアが前記第１の画面において選択された前記対象にテレビ会議の参加要求を送信することを決定した第２の動作状態であって前記ネットワークが切断されて前記サーバと通信を行うことができないときは、前記第１の画面に前記第２の画面を重ねて前記表示部に表示させる表示制御ステップと、を前記端末に実行させることを特徴とする。